(57)【要約】【課題】  処置具挿入部を任意の位置で係止するとともに収納後に外部への液垂れを抑える簡易な構成の内視鏡用処置具収納装置及び内視鏡用処置具並びに内視鏡処置システムを提供すること。【解決手段】  内視鏡用処置具収納装置６は、処置具挿入部２を巻取り可能な、例えば、四フッ化エチレン樹脂（ＰＴＦＥ）からなる芯部７と、芯部７の巻取り面７Ａの径方向外方に突出して芯部７の両端面に接続された一対の仕切部８、１０と、芯部７と仕切部８、１０とに囲まれて形成され、処置具挿入部２を巻取り収納する収納部１１と、収納部１１に処置具挿入部２を収納するとき、及び、収納部１１から処置具挿入部２を送出するときに、処置具挿入部２が挿通可能に変形し、未変形時には、処置具挿入部２の収納部１１内での移動を規制するとともに収納部１１内からの液垂れを規制する液垂れ規制手段１２とを備えている。【選択図】  図１
2005296433.tif 000002
【特許請求の範囲】
【請求項１】
少なくとも処置具挿入部を巻取り収納する収納部と、
前記収納部に前記処置具挿入部を収納するとき、及び、前記収納部から前記処置具挿入部を送出するときに、前記処置具挿入部が挿通可能に変形し、未変形時には、前記処置具挿入部の前記収納部内での移動を規制するとともに前記収納部内からの液垂れを規制する液垂れ規制手段とを備えていることを特徴とする内視鏡用処置具収納装置。
【請求項２】
前記液垂れ規制手段が、前記収納部の外周に配されていることを特徴とする請求項１に記載の内視鏡用処置具収納装置。
【請求項３】
前記処置具挿入部を巻取り可能な芯部と、
該芯部の巻取り面の径方向外方に突出して前記芯部の両端面に配された一対の仕切部とを備え、
前記収納部が、前記芯部と前記仕切部とに囲まれて形成され、
前記液垂れ規制手段が、前記仕切部の周縁部が互いに対向する方向に湾曲され、互いに当接して前記収納部の外周面を形成する弾性変形部を備えていることを特徴とする請求項２に記載の内視鏡用処置具収納装置。
【請求項４】
前記処置具挿入部を巻取り可能な芯部と、
該芯部の巻取り面の径方向外方に突出して前記芯部の両端面に配された一対の仕切部とを備え、
前記収納部が、前記芯部と前記仕切部とに囲まれて形成され、
前記液垂れ規制手段が、前記仕切部の周縁部から互いに対向する方向に櫛歯状に突出して互いに咬合可能とされた複数の凸部を備えていることを特徴とする請求項２に記載の内視鏡用処置具収納装置。
【請求項５】
前記処置具挿入部を巻取り可能な芯部と、
前記芯部の巻取り面の径方向外方に突出して前記芯部の両端面に配された一対の仕切部とを備え、
前記液垂れ規制手段が、前記一対の仕切部の対向面から前記芯部の中央に向かって前記処置具挿入部を圧接可能に互いに突出され、液体を吸収可能な一対の液吸収部を備えていることを特徴とする請求項１に記載の内視鏡用処置具収納装置。
【請求項６】
前記芯部に、前記処置具挿入部が軸方向に貫通可能とされ、前記処置具挿入部の基端に接続された処置具操作部を係止可能な係止部が配されていることを特徴とする請求項３から５の何れか一つに記載の内視鏡用処置具収納装置。
【請求項７】
前記処置具挿入部の基端に接続された処置具操作部が、前記芯部の回転軸方向に突出して前記芯部に接続されていることを特徴とする請求項３から５の何れか一つに記載の内視鏡用処置具収納装置。
【請求項８】
前記芯部に、前記処置具挿入部の途中部分を係合して巻取り可能な係合部が配されていることを特徴とする請求項３から７の何れか一つに記載の内視鏡用処置具収納装置。
【請求項９】
前記芯部を回動自在に支持して内視鏡の鉗子口近傍に着脱自在な取付部を備えていることを特徴とする請求項３から８の何れか一つに記載の内視鏡用処置具収納装置。
【請求項１０】
台座と、
前記芯部を回動自在に支持して前記台座に着脱自在な取付部とを備えていることを特徴とする請求項３から８の何れか一つに記載の内視鏡用処置具収納装置。
【請求項１１】
可撓性を有する処置具挿入部と、
該処置具挿入部の基端側を収納可能な請求項１から１０の何れか一つに記載の内視鏡用処置具収納装置とを備えていることを特徴とする内視鏡用処置具。
【請求項１２】
可撓性を有する挿入部と、該挿入部を湾曲操作する操作部と、前記挿入部と前記操作部との内部を連通するチャンネルとを備える内視鏡と、
前記操作部の基端に配されて前記チャンネルと連通された請求項３から８の何れか一つに記載の内視鏡用収納装置と、
前記処置具挿入部を前記チャンネル内で進退移動可能な挿脱手段とを備え、
前記芯部の外周面から中央部に向かって、前記処置具挿入部の基端が係合可能な複数の係合孔が配されていることを特徴とする内視鏡処置システム。
【発明の詳細な説明】
【技術分野】
【０００１】
本発明は、内視鏡用処置具収納装置及び内視鏡用処置具並びに内視鏡処置システムに関する。
【背景技術】
【０００２】
内視鏡用処置具の処置具挿入部は長いため、保管時に処置具挿入部を巻き取るものや（例えば、特許文献１参照。）、取扱時においても処置具挿入部を巻き取った状態で使用可能とするもの（例えば、特許文献２参照。）が提案されている。
【特許文献１】実開昭６３−１９５８０６号公報
【特許文献２】米国特許第５，６９５，４９１号明細書
【発明の開示】
【発明が解決しようとする課題】
【０００３】
しかしながら、例えば、特許文献１に記載の技術では、処置具挿入部の先端部分と処置具挿入部の基端に接続された処置具操作部との２箇所をリールに固定支持しているので、何れか一方を取り外すと処置具挿入部が拡径してしまい手技が煩雑になる。
また、特許文献２に記載の技術では、収納ケース内に回転駆動するリールを設ける必要があり、構成が複雑である。
さらに、内視鏡用処置具の使用時に処置具挿入部に付着した液体等が収納時に外部に垂れてしまい、周囲が汚れて取扱いが面倒である。
【０００４】
本発明は上記事情に鑑みて成されたものであり、処置具挿入部を任意の位置で係止するとともに収納後に外部への液垂れを抑える簡易な構成の内視鏡用処置具収納装置及び内視鏡用処置具並びに内視鏡処置システムを提供することを目的とする。
【課題を解決するための手段】
【０００５】
本発明は、上記課題を解決するため、以下の手段を採用する。
本発明に係る内視鏡用処置具収納装置は、少なくとも処置具挿入部を巻取り収納する収納部と、前記収納部に前記処置具挿入部を収納するとき、及び、前記収納部から前記処置具挿入部を送出するときに、前記処置具挿入部が挿通可能に変形し、未変形時には、前記処置具挿入部の前記収納部内での移動を規制するとともに前記収納部内からの液垂れを規制する液垂れ規制手段とを備えていることを特徴とする。
【０００６】
この内視鏡用処置具収納装置は、処置具挿入部の収納部への収納途中、或いは、収納部からの送出途中で処置具挿入部を液垂れ規制手段で係止させることができ、任意の長さで処置具挿入部を収納し、或いは、送出することができる。また、収納時及び送出時以外のときには変形しないので、処置具挿入部が収納部内で移動して収納部から飛び出してしまうのを抑えることができる。さらに、このときに液垂れを規制するので、処置具挿入部に液体が付着した状態で収納部に収納しても、収納部からの液垂れを抑えることができる。
【０００７】
また、本発明に係る内視鏡用処置具収納装置は、前記内視鏡用処置具収納装置であって、前記液垂れ規制手段が、前記収納部の外周に配されていることを特徴とする。
この内視鏡用処置具収納装置は、巻き取った処置具挿入部を収納部の外周側から容易に送出、或いは、収納部の外周から内側に巻き取って収納することができる。
【０００８】
また、本発明に係る内視鏡用処置具収納装置は、前記内視鏡用処置具収納装置であって、前記処置具挿入部を巻取り可能な芯部と、該芯部の巻取り面の径方向外方に突出して前記芯部の両端面に配された一対の仕切部とを備え、前記収納部が、前記芯部と前記仕切部とに囲まれて形成され、前記液垂れ規制手段が、前記仕切部の周縁部が互いに対向する方向に湾曲され、互いに当接して前記収納部の外周面を形成する弾性変形部を備えていることを特徴とする。
【０００９】
この内視鏡用処置具収納装置は、処置具挿入部を仕切部で囲まれた芯部の外周面に巻回することができる。また、弾性変形部を変形させることによって収納部から処置具挿入部を任意の位置まで送出、或いは、収納部に収納することができる。さらに、弾性変形部が未変形時には互いに当接されているので、収納部内からの液垂れを規制することができる。
【００１０】
また、本発明に係る内視鏡用処置具収納装置は、前記内視鏡用処置具収納装置であって、前記処置具挿入部を巻取り可能な芯部と、該芯部の巻取り面の径方向外方に突出して前記芯部の両端面に配された一対の仕切部とを備え、前記収納部が、前記芯部と前記仕切部とに囲まれて形成され、前記液垂れ規制手段が、前記仕切部の周縁部から互いに対向する方向に櫛歯状に突出して互いに咬合可能とされた複数の凸部を備えていることを特徴とする。
【００１１】
この内視鏡用処置具収納装置は、凸部を変形させて処置具挿入部を収納部から送出、或いは、収納部に収納することができる。また、櫛歯状の凸部を咬合させることによって、収納部内からの液垂れを規制することができる。
【００１２】
また、本発明に係る内視鏡用処置具収納装置は、前記内視鏡用処置具収納装置であって、前記処置具挿入部を巻取り可能な芯部と、前記芯部の巻取り面の径方向外方に突出して前記芯部の両端面に配された一対の仕切部とを備え、前記液垂れ規制手段が、前記一対の仕切部の対向面から前記芯部の中央に向かって前記処置具挿入部を圧接可能に互いに突出され、液体を吸収可能な一対の液吸収部を備えていることを特徴とする。
この内視鏡用処置具収納装置は、一対の液吸収部と芯部との間に処置具挿入部を収納することができる。その際、処置具挿入部に付着した液体を液吸収部に吸収させることができる。
【００１３】
また、本発明に係る内視鏡用処置具収納装置は、前記内視鏡用処置具収納装置であって、前記芯部に、前記処置具挿入部が軸方向に貫通可能とされ、前記処置具挿入部の基端に接続された処置具操作部を係止可能な係止部が配されていることを特徴とする。
また、本発明に係る内視鏡用処置具収納装置は、前記内視鏡用処置具収納装置であって前記処置具挿入部の基端に接続された処置具操作部が、前記芯部の回転軸方向に突出して前記芯部に接続されていることを特徴とする。
【００１４】
この内視鏡用処置具収納装置は、処置具挿入部の一部を芯部に巻き取って収納部に収納した状態で、処置具操作部を係止部に固定させることができ、処置具操作部による処置具操作を安定した状態で行うことができる。
【００１５】
また、本発明に係る内視鏡用処置具収納装置は、前記内視鏡用処置具収納装置であって、前記芯部に、前記処置具挿入部の途中部分を係合して巻取り可能な係合部が配されていることを特徴とする。
この内視鏡用処置具収納装置は、係合部に処置具挿入部の途中部分を係止した状態で芯部に巻回することによって、係合した位置よりも処置具挿入部の先端側、及び、基端側の少なくとも一方を収納部から送出、或いは、収納部に収納することができる。
【００１６】
また、本発明に係る内視鏡用処置具収納装置は、前記内視鏡用処置具収納装置であって、前記芯部を回動自在に支持して内視鏡の鉗子口近傍に着脱自在な取付部を備えていることを特徴とする。
この内視鏡用処置具収納装置は、取付部を鉗子口近傍に装着することによって、術者が内視鏡用処置具全体を支持しなくても安定した状態で処置を行うことができる。
また、処置具挿入部を収納する際には、芯部を回転させることによって、処置具挿入部を収納部内に容易に収納することができる。
【００１７】
また、本発明に係る内視鏡用処置具収納装置は、前記内視鏡用処置具収納装置であって、台座と、前記芯部を回動自在に支持して前記台座に着脱自在な取付部とを備えていることを特徴とする。
この内視鏡用処置具収納装置は、取付部を台座に装着することによって、台座にコンパクトに配した状態で収納部からの処置具挿入部の送出、或いは、収納を行うことができる。
【００１８】
本発明に係る内視鏡用処置具は、可撓性を有する処置具挿入部と、該処置具挿入部の基端側を収納可能な請求項１から１０の何れか一つに記載の内視鏡用処置具収納装置とを備えていることを特徴とする。
この内視鏡用処置具は、本発明に係る内視鏡用処置具収納装置を備えているので、長い処置具挿入部であっても収納部にコンパクトに収納することができ、任意の長さを送出、或いは、収納した状態を維持することができる。
【００１９】
本発明に係る内視鏡処置システムは、可撓性を有する挿入部と、該挿入部を湾曲操作する操作部と、前記挿入部と前記操作部との内部を連通するチャンネルとを備える内視鏡と、前記操作部の基端に配されて前記チャンネルと連通された請求項３から８の何れか一つに記載の内視鏡用収納装置と、前記処置具挿入部を前記チャンネル内で進退移動可能な挿脱手段とを備え、前記芯部の外周面から中央部に向かって、前記処置具挿入部の基端が係合可能な複数の係合孔が配されていることを特徴とする。
【００２０】
この内視鏡処置システムは、チャンネル内に挿入された処置具挿入部を収納部に収納する際に、挿脱手段によって処置具挿入部を後退させて基端を係合孔に挿入すると、処置具挿入部が係合孔を押すことによって芯部を回転させることができ、芯部まわりに処置具挿入部を巻回して収納することができる。
【発明の効果】
【００２１】
本発明によれば、任意の長さの処置具挿入部を簡易な構成で収納部に収納することができる。
【発明を実施するための最良の形態】
【００２２】
本発明に係る第１の実施形態について、図１及び図２を参照して説明する。
本実施形態に係る内視鏡用処置具１は、可撓性を有する処置具挿入部２と、処置具挿入部の基端に接続され、処置具挿入部の先端に接続された処置具先端部３を操作する処置具操作部５とを備え、処置具先端部３よりも基端側であって処置具操作部５よりも先端側の部分が内視鏡用処置具収納装置６に収納可能とされている。
【００２３】
内視鏡用処置具収納装置６は、処置具挿入部２を巻取り可能な、例えば、四フッ化エチレン樹脂（ＰＴＦＥ）からなる芯部７と、芯部７の巻取り面７Ａの径方向外方に突出して芯部７の両端面に接続された一対の仕切部８、１０と、芯部７と仕切部８、１０とに囲まれて形成され、処置具挿入部２を巻取り収納する収納部１１と、収納部１１に処置具挿入部２を収納するとき、及び、収納部１１から処置具挿入部２を送出するときに、処置具挿入部２が挿通可能に変形し、未変形時には、処置具挿入部２の収納部１１内での移動を規制するとともに収納部１１内からの液垂れを規制する液垂れ規制手段１２とを備えている。
【００２４】
液垂れ規制手段１２は、収納部１１の外周に配されており、仕切部８、１０の周縁部８Ａ、１０Ａ全体が互いに対向する方向に湾曲され、互いに当接して収納部１１の外周面を形成する弾性変形部１３を備えている。仕切部８、１０も芯部７と同様にＰＴＦＥからなるが、弾性変形部１３はシリコン等の柔軟性を有する樹脂から構成されている。
仕切部８の側面には、処置具挿入部２に付着した液体を貯留する凹状の液溜部１５が形成されている。そして、芯部７の仕切部８側の巻取り面７Ａには、巻取り面７Ａと液溜部１５とを連通するスリット１６が形成されている。
【００２５】
次に、本実施形態に係る内視鏡用処置具１及び内視鏡用処置具収納装置６の使用方法、及び、作用・効果について説明する。
体腔内に挿入された図示しない内視鏡とともに使用する場合、まず、収納部１１から突出した処置具挿入部２の先端側を把持して収納部１１内から処置具挿入部２を引張り出す。このとき、弾性変形部１３が処置具挿入部２を挿通可能に変形して、処置具挿入部２が収納部１１から送出される。
【００２６】
所定の長さを取り出した後、処置具先端部３を図示しない鉗子口に挿入する。このとき、弾性変形部１３は変形しない状態とされているので、処置具挿入部２の収納部１１からの突出量を一定量に保持した状態で、弾性変形部１３が処置具挿入部２の収納部１１内での移動を規制している。
処置具先端部３による処置を終了後、処置具挿入部２を鉗子口から抜去しながら、弾性変形部１３を再び変形させて処置具挿入部２を収納部１１内に挿入し、芯部７の巻取り面７Ａに処置具挿入部２を巻取り収納する。この際、内視鏡を介して体内に送出した水や生理食塩水、体液等の液体が処置具挿入部２の外周面に付着した状態で芯部７に巻回されるが、これらの液体は、収納部１１内でスリット１６を介して液溜部１５に貯留される。
【００２７】
貯留された液体が液溜部１５からスリット１６を介して収納部１１内に逆流しても、弾性変形部１３が変形しない状態では外部への液垂れが規制された状態とされる。
この内視鏡用処置具１及び内視鏡用処置具収納装置６によれば、処置具挿入部２の収納部１１への収納途中、或いは、収納部１１からの送出途中で、処置具挿入部２を液垂れ規制手段１２の弾性変形部１３で係止させることができ、任意の長さで処置具挿入部２を収納し、或いは、送出することができる。したがって、任意の長さの処置具挿入部２を簡易な構成で収納部１１に収納することができる。
【００２８】
また、処置具挿入部２の収納部１１への収納時、及び、収納部１１からの送出時以外のときには弾性変形部１３が変形しないので、処置具挿入部２が収納部１１内で移動して収納部１１から飛び出してしまうのを抑えることができる。さらに、このときに液垂れを規制するので、処置具挿入部２に液体が付着した状態で収納部１１に収納しても、収納部１１からの液垂れを抑えることができる。
【００２９】
次に、第２の実施形態について図３を参照しながら説明する。
なお、上述した第１の実施形態と同様の構成要素には同一符号を付すとともに説明を省略する。
第２の実施形態と第１の実施形態との異なる点は、第１の実施形態に係る液垂れ規制手段１２が、弾性変形部１３を備えているとしているが、本実施形態に係る内視鏡用処置具２０を収納する内視鏡用処置具収納装置２１における液垂れ規制手段２２が、仕切部２３、２５の周縁部からそれぞれ互いに対向する方向に櫛歯状に突出して互いに咬合可能とされた複数の凸部２６を備えているとした点である。
凸部２６も弾性変形部１３と同様に柔軟な樹脂で構成されている。
【００３０】
この内視鏡用処置具２０及び内視鏡用処置具収納装置２１は、凸部２６を変形させて処置具挿入部２を収納部１１から送出、或いは、収納部１１に収納することができ、第１の実施形態と同様の操作方法によって、同様の作用・効果を得ることができる。この際、櫛歯状の凸部２６を咬合させることによって、より簡単な構造で収納部１１内からの液垂れを規制することができる。
【００３１】
次に、第３の実施形態について図４及び図５を参照しながら説明する。
なお、上述した他の実施形態と同様の構成要素には同一符号を付すとともに説明を省略する。
第３の実施形態と上記他の実施形態との異なる点は、本実施形態に係る内視鏡用処置具３０を収納する内視鏡用処置具収納装置３１における液垂れ規制手段３２が、一対の仕切部３３、３５の対向面から芯部７の中央に向かって処置具挿入部２を圧接可能に互いに突出され、液体を吸収可能な一対のスポンジ（液吸収部）３６、３７を備えているとした点である。
収納部３８は、スポンジ３６、３７との間に形成されている。
【００３２】
この内視鏡用処置具３０及び内視鏡用処置具収納装置３１は、一対のスポンジ３６、３７と芯部７の間に処置具挿入部２を収納することによって、処置具挿入部２の収納部１１への収納途中、或いは、収納部１１からの送出途中で、処置具挿入部２を係止させることができる。したがって、任意の長さで処置具挿入部２を収納し、或いは、送出することができ、任意の長さの処置具挿入部２を簡易な構成で収納部１１に収納することができる。
【００３３】
また、処置具挿入部２の収納部１１への収納時及び収納部１１からの送出時以外のときには、スポンジ３６、３７が変形しないので、処置具挿入部２が収納部１１内で移動して収納部１１から飛び出してしまうのを抑えることができる。その際、処置具挿入部２に付着した液体をスポンジ３６、３７に吸収させることができ、外部への液垂れを確実に抑えることができる。
【００３４】
次に、第４の実施形態について図６及び図７を参照しながら説明する。
なお、上述した他の実施形態と同様の構成要素には同一符号を付すとともに説明を省略する。
第４の実施形態と第１の実施形態との異なる点は、本実施形態に係る内視鏡用処置具４０を収納する内視鏡用処置具収納装置４１の芯部４２に、仕切部４３、４５を貫通して処置具挿入部２が軸方向に貫通可能な孔４６が設けられ、孔４６の側面には、処置具挿入部２の基端に接続された処置具操作部５を係止可能なＯリング（係止部）４７が配されているとした点である。
【００３５】
孔４６は処置具操作部５が嵌合可能な内径とされ、Ｏリング４７の内径は、処置具操作部５と摺動可能な大きさとされている。
処置具操作部５をＯリング４７で係止したときに処置具挿入部２が延びる方向とされる仕切部４３の側面及び弾性変形部１３には、処置具挿入部２を仕切部４３の側面から芯部４２に巻取り可能なスリット４８が形成されている。
【００３６】
次に、本実施形態に係る内視鏡用処置具４０及び内視鏡用処置具収納装置４１の使用方法、及び、作用・効果について説明する。
まず、処置具挿入部２を最初に芯部４２に巻き取って収納して図に示す状態とする際には、処置具先端部３を孔４６に挿通してＯリング４７に処置具操作部５を係止する。この状態で処置具挿入部２をスリット４８から収納部１１内に通して芯部４２の巻取面４２Ａに巻き取っていく。
処置を行う際には、上記第１の実施形態と同様の方法で処置具挿入部２を収納部１１から送出して図示しない内視鏡内に挿入する。そして、処置を行う際には、Ｏリング４７に係止された処置具操作部５を操作する。
処置が終わって処置具挿入部２を抜去する際には、上述のように、処置具挿入部２をスリット４８を介して芯部４２に巻回して収納する。
【００３７】
この内視鏡用処置具４０及び内視鏡用処置具収納装置４１によれば、処置具挿入部２の一部を芯部４２に巻き取って収納部１１に収納した状態でも、処置具操作部５をＯリング４７で固定させることができ、処置具操作部５による処置具操作を安定した状態で行うことができる。
【００３８】
次に、第５の実施形態について図８を参照しながら説明する。
なお、上述した他の実施形態と同様の構成要素には同一符号を付すとともに説明を省略する。
第５の実施形態と第４の実施形態との異なる点は、本実施形態に係る内視鏡用処置具５０の処置具操作部５が、内視鏡用処置具収納装置５１の芯部５２の回転軸方向に突出して芯部５２に固定されているとした点である。
芯部５２には、処置具操作部５が仕切部５３側から嵌合可能な孔５５が設けられ、孔５５から巻取り面５２Ａに向かう通路５６が設けられている。
【００３９】
この内視鏡用処置具５０及び内視鏡用処置具収納装置５１によれば、予め処置具操作部５が芯部５２に接続されているので、上記第４の実施形態と同様の操作方法によって、同様の作用・効果を得ることができる。
【００４０】
次に、第６の実施形態について図９及び図１０を参照しながら説明する。
なお、上述した他の実施形態と同様の構成要素には同一符号を付すとともに説明を省略する。
第６の実施形態と上記他の実施形態との異なる点は、本実施形態に係る内視鏡用処置具６０を収納する内視鏡用処置具収納装置６１は、芯部６２に、処置具挿入部２の途中部分を係合して巻取り可能な係合部６３が配されているとした点である。  
【００４１】
この内視鏡用処置具収納装置６１は、処置具先端部３側の処置具挿入部２を収納する第１の収納部６５を有する第１の収納装置６６と、処置具操作部５側の処置具挿入部２を収納する第２の収納部６７を有する第２の収納装置６８とを備えている。
第１の収納装置６６と第２の収納装置６８とは、芯部６２の軸方向に２つ並んで隣接して配されており、互いに対向する側の仕切部６９に芯部６２が貫通した状態で配されている。
【００４２】
次に、本実施形態に係る内視鏡用処置具６０及び内視鏡用処置具収納装置６１の使用方法、及び、作用・効果について説明する。
処置具挿入部２を最初に内視鏡用処置具収納装置６１に収納して図に示す状態とする際には、処置具挿入部２の中央部近傍を折り曲げ、係合部６３に係合させる。この状態で、弾性変形部１３を変形させながら処置具挿入部２の処置具先端部３側を第１の収納部１１側の芯部６２に巻取る一方、処置具挿入部２の処置具操作部５側の処置具挿入部２を第２の収納部１１側の芯部６２に巻き取る。そして、第１の収納装置６６の弾性変形部１３、及び、第２の収納装置６８の弾性変形部１３に、それぞれ処置具挿入部２を係止する。
【００４３】
内視鏡用処置具６０で処置を行う場合、上記第１の実施形態と同様の方法で、第１の収納装置６６から処置具挿入部２を、第２の収納装置６８から処置具挿入部２を必要な長さずつ、それぞれ第１の収納部６５内、第２の収納部６７内から送出する。そして、図示しないチャンネル内に挿入して処置を行い、処置の終了後は、上述のように処置具挿入部２をそれぞれ収納する。
【００４４】
この内視鏡用処置具６０及び内視鏡用処置具収納装置６１によれば、係合部６３に処置具挿入部２の途中部分を係止した状態で芯部６２に巻回することによって、係合した位置よりも処置具挿入部２の先端側、及び、基端側をそれぞれ第１の収納部６５、第２の収納部６７から送出、或いは、収納することができる。したがって、必要に応じて処置具先端部３側、又は、処置具操作部５側何れか一方の処置具挿入部２のみを容易に送出させることができる。
【００４５】
次に、第７の実施形態について図１１及び図１２を参照しながら説明する。
なお、上述した他の実施形態と同様の構成要素には同一符号を付すとともに説明を省略する。
第７の実施形態と上記第５の実施形態との異なる点は、本実施形態に係る内視鏡用処置具７０及び内視鏡用処置具収納装置７１が、芯部７を回動自在に支持して内視鏡７２の鉗子口７３近傍に着脱自在な内視鏡取付部（取付部）７５を備えているとした点である。
【００４６】
内視鏡取付部７５は、芯部７を回動自在に支持する支持部７６の端部に配されており、支持部７６には、芯部７を中心軸回りに回動させる巻取りハンドル７７が、処置具操作部５と同一の方向に突出して配されている。
内視鏡取付部７５には、鉗子口７３と係合させた状態で内視鏡取付部７５を内視鏡７２に固定する板状のスライド部材７８が配されている。
鉗子口７３には、処置具挿入部２の挿入時にも図示しないチャンネル内の気密を維持する鉗子栓７３Ａが配されている。
【００４７】
次に、本実施形態に係る内視鏡用処置具７０及び内視鏡用処置具収納装置７１の使用方法、及び、作用・効果について説明する。
内視鏡用処置具７０による処置を行う際、鉗子口７３に内視鏡取付部７５を当接し、その状態でスライド部材７８をスライドさせて鉗子口７３に内視鏡取付部７５を装着する。
そして、体腔内に内視鏡７２の挿入部７９を挿入後、処置具先端部３側の処置具挿入部２を把持し、上記第４の実施形態と同様に処置具挿入部２を収納部１１から送出して鉗子口７３から内視鏡７２内に挿入し、処置具操作部５にて所定の処置を行う。
【００４８】
処置が終了して処置具挿入部２を抜去する際、処置具挿入部２を巻き取る方向に巻取りハンドル７７を回転する。このとき、処置具挿入部２が図示しないチャンネルから取り出されるとともに、弾性変形部１３を変形させながら収納部１１に収納されて芯部７に巻き取られる。
この内視鏡用処置具７０及び内視鏡用処置具収納装置７１によれば、内視鏡取付部７５を鉗子口７３近傍に装着することによって、内視鏡用処置具７０全体を支持しなくても安定した状態で処置を行うことができる。
また、処置具挿入部２を収納する際には、巻取りハンドル７７にて芯部７を回転することによって、収納部１１内に処置具挿入部２を容易に収納することができる。
【００４９】
次に、第８の実施形態について図１３及び図１４を参照しながら説明する。
なお、上述した他の実施形態と同様の構成要素には同一符号を付すとともに説明を省略する。
第８の実施形態と上記他の実施形態との異なる点は、本実施形態に係る内視鏡用処置具８０及び内視鏡用処置具収納装置８１が、介助者用のカート（台座）８２と、芯部５２を回動自在に支持してカート８２に着脱自在なカート取付部（取付部）８３とを備えているとした点である。
【００５０】
カート８２は移動可能にキャスター８５が配されており、カート８２上部には、カート取付部８３が係合可能な取付孔８６が複数設けられた受け部８７が載置されている。
取付孔８６は、仕切部５３側が互いに対向して隣接可能に離間して配されている。
カート取付部８３には、取付孔８６に嵌合可能な取付凸部８８が配されている。
【００５１】
この内視鏡用処置具８０及び内視鏡用処置具収納装置８１によれば、上記第５の実施形態と同様の使用方法により、同様の作用・効果を得ることができるが、カート取付部８３の取付凸部８８をカート８２の取付孔８６に装着することによって、カート８２にコンパクトに配した状態で収納部１１からの処置具挿入部２の送出、或いは、収納を行うことができる。
【００５２】
次に、第９の実施形態について図１５及び図１６を参照しながら説明する。
なお、上述した他の実施形態と同様の構成要素には同一符号を付すとともに説明を省略する。
第９の実施形態と上記他の実施形態との異なる点は、本実施形態では内視鏡処置システム９０として、可撓性を有する挿入部９１と、挿入部９１を湾曲操作する操作部９２と、挿入部９１と操作部９２との内部を連通するチャンネル９３とを備える内視鏡９５と、操作部９２の基端に配されてチャンネル９３と連通された内視鏡用収納装置９６と、処置具挿入部９７をチャンネル９３内で進退移動可能な挿脱手段９８とを備え、芯部９９の外周面から中央部に向かって、処置具挿入部９７の基端が係合可能な複数の係合孔１００が配されているとした点である。
【００５３】
処置具挿入部９７は、先端に処置を行う処置具先端部３が配されており、進退によって処置具先端部３に操作駆動力を伝達する可撓性の操作ワイヤ１０１と、操作ワイヤ１０１を内部で進退可能に覆う可撓性のシース部１０２と、シース部１０２と離間して配され、かつ、操作ワイヤ１０１と接続されてこれを覆う可撓性の操作管部１０３とを備えている。
内視鏡用収納装置９６は、操作部９２の基端に接続されて内部がチャンネル９３と連通された収納カバー１０５内に配されている。芯部９９は、収納カバー１０５に図示しないピンによって回動自在に支持されている。
【００５４】
挿脱手段９８は、処置具挿入部９７を一対のローラ１０６、１０７にて圧接した状態で処置具挿入部９７の軸方向に送る第１の送り機構１０８と、一対のローラ１０６、１０７を有して第１の送り機構１０８から処置具挿入部９７の突出長さ以上基端側に離間して配された第２の送り機構１１０と、一対のローラ１０６、１０７を回転駆動させるモータ等の駆動部１１１と、駆動部１１１を操作するスイッチ１１２とを備えている。
スイッチ１１２は、第１の送り機構１０８と第２の送り機構１１０とをともに操作して処置具挿入部９７をチャンネル９３の軸方向に移動させる進退スイッチ１１２Ａと、第２の送り機構１１０のみを操作してシース部１０２に対して操作ワイヤ１０１をチャンネル９３軸方向に移動させる開閉スイッチ１１２Ｂとを備えている。
【００５５】
次に、本実施形態に係る内視鏡処置システム９０の使用方法、及び、作用・効果について説明する。
まず、処置具挿入部９７が収納された内視鏡用処置具収納装置９６を操作部９２の基端に接続し、処置具先端部３を第２の送り機構１１０のローラ１０６、１０７に接触させる。
次に、進退スイッチ１１２Ａを前進側に操作して駆動部１１１を駆動して、第１の送り機構１０８及び第２の送り機構１１０の各ローラ１０６、１０７を、処置具挿入部９７がチャンネル９３先端側に移動する方向に回転させ、処置具挿入部９７を移動して処置具先端部３をチャンネル９３先端に突出させる。
【００５６】
処置を行う際は、進退スイッチ１１２Ａを停止し、開閉スイッチ１１２Ｂを操作する。このとき、第２の送り機構１１０に係るローラ１０６、１０７のみが回転駆動し、操作管部１０３及び操作ワイヤ１０１がシース部１０２に対して前進して処置具先端部３を操作する。
処置を終了後、進退スイッチ１１２Ａを後退側に操作して、第１の送り機構１０８及び第２の送り機構１１０の各ローラ１０６、１０７を上述とは逆方向に回転駆動して、処置具挿入部９７をチャンネル９３基端側に移動させる。
【００５７】
この際、操作管部１０３の基端が任意の係合孔１００に係合され、さらにそのまま処置具挿入部９７を移動させることによって、処置具挿入部９７が芯部９９に回転トルクを供給し、芯部９９が図示しないピンまわりに回転する。
こうして、処置具挿入部９７が芯部９９の巻取面９９Ａに巻回される。
【００５８】
この内視鏡処置システム９０によれば、チャンネル９３内に挿入された処置具挿入部９７を収納部１１に収納するために、挿脱手段９８によって処置具挿入部９７を後退させて基端を係合孔１００に挿入する際、処置具挿入部９７が係合孔１００を押すことによって芯部９９を回転させることができ、芯部９９まわりに処置具挿入部９７を巻回して収納することができる。このとき、係合孔１００が複数配されているので、芯部９９の状態にかかわらず、何れかの係合孔１００に処置具挿入部９７を係合させることができる。
【００５９】
なお、本発明の技術範囲は上記実施の形態に限定されるものではなく、本発明の趣旨を逸脱しない範囲において種々の変更を加えることが可能である。
例えば、図１７及び図１８に示すように、仕切部１１５、１１６のうち、一方の仕切部１１５の側面に係合凸部１１７を配し、他方の仕切部１１６に係合凸部１１７と係合可能な係合凹部１１８を配しても構わない。
この場合、係合凸部１１７と係合凹部１１８とを係合させることによって、内視鏡用処置具収納装置１２０を芯部１２１の軸方向に安定した状態で積み重ねることができる。
【００６０】
また、図１９に示すように、仕切部１２２、１２３にそれぞれ内視鏡用処置具１２５、１２６の種類や処置具挿入部２の有効長さを色で識別しても構わない。この場合、内視鏡用処置具収納装置１２７、１２８を一見するだけで内視鏡用処置具１２５、１２６を判別することができる。
【００６１】
さらに、色分けでなく、図２０に示すように、比較的広い面積を確保できる仕切部１３０の側面に、内視鏡用処置具１３１の機種名、有効長等の処置具情報を記載したものとしても構わない。
【００６２】
また、図２１に示すように、処置具挿入部２を収納した内視鏡用処置具収納装置１３２を滅菌パック１３３に収納して内視鏡用処置具１３５としても構わない。この場合、使用の際に滅菌パック１３３を開封することによってすぐに使用することができ、手技を容易に行うことができる。
【図面の簡単な説明】
【００６３】
【図１】本発明の第１の実施形態に係る内視鏡用処置具及び内視鏡用処置具収納装置を示す（ａ）側面図（ｂ）（ａ）のＡ−Ａ断面図である。
【図２】本発明の第１の実施形態に係る内視鏡用処置具収納装置を示す（ａ）側面図（ｂ）（ａ）のＢ−Ｂ断面図である。
【図３】本発明の第２の実施形態に係る内視鏡用処置具及び内視鏡用処置具収納装置を示す（ａ）側面図、内視鏡用処置具収納装置を示す（ｂ）正面図（ｃ）（ｂ）のＣ−Ｃ断面図である。
【図４】本発明の第３の実施形態に係る内視鏡用処置具及び内視鏡用処置具収納装置を示す（ａ）側面図（ｂ）（ａ）のＤ−Ｄ断面図である。
【図５】本発明の第３の実施形態に係る内視鏡用処置具収納装置を示す（ａ）正面図（ｂ）側面図（ｃ）（ｂ）のＥ−Ｅ断面図である。
【図６】本発明の第４の実施形態に係る内視鏡用処置具及び内視鏡用処置具収納装置を示す（ａ）側面図（ｂ）（ａ）のＦ−Ｆ断面図である。
【図７】本発明の第４の実施形態に係る内視鏡用処置具収納装置を示す（ａ）側面図（ｂ）（ａ）のＧ−Ｇ断面図である。
【図８】本発明の第５の実施形態に係る内視鏡用処置具及び内視鏡用処置具収納装置を示す（ａ）側面図（ｂ）断面図である。
【図９】本発明の第６の実施形態に係る内視鏡用処置具及び内視鏡用処置具収納装置を示す（ａ）側面図（ｂ）正面図である。
【図１０】本発明の第６の実施形態に係る内視鏡用処置具及び内視鏡用処置具収納装置を示す（ａ）側面図（ｂ）一部断面を含む正面図である。
【図１１】本発明の第７の実施形態に係る内視鏡用処置具及び内視鏡用処置具収納装置を内視鏡に装着した状態を示す説明図である。
【図１２】本発明の第７の実施形態に係る内視鏡用処置具及び内視鏡用処置具収納装置を示す（ａ）側面図（ｂ）正面図である。
【図１３】本発明の第８の実施形態に係る内視鏡用処置具及び内視鏡用処置具収納装置を示す（ａ）側面図（ｂ）正面図である。
【図１４】本発明の第８の実施形態に係る内視鏡用処置具収納装置を示す（ａ）側面図（ｂ）正面図（ｃ）カート取付部を示す斜視図である。
【図１５】本発明の第９の実施形態に係る内視鏡処置システムを示す断面図である。
【図１６】本発明の第９の実施形態に係る内視鏡処置システムにおける内視鏡用処置具収納装置を示す断面図である。
【図１７】本発明の他の実施形態に係る内視鏡用処置具収納装置を示す（ａ）正面図（ｂ）側面図（ｃ）（ｂ）のＨ−Ｈ断面図である。
【図１８】本発明の他の実施形態に係る内視鏡用処置具収納装置の使用状態を示す説明図である。
【図１９】本発明の他の実施形態に係る内視鏡用処置具及び内視鏡用処置具収納装置を示す側面図である。
【図２０】本発明の他の実施形態に係る内視鏡用処置具及び内視鏡用処置具収納装置を示す（ａ）正面図（ｂ）側面図である。
【図２１】本発明の他の実施形態に係る内視鏡用処置具及び内視鏡用処置具収納装置を示す側面図である。
【符号の説明】
【００６４】
１、２０、３０、４０、５０、６０、７０、８０、１２５、１２６、１３１、１３５  内視鏡用処置具
２、９７  処置具挿入部
５  処置具操作部
６、２１、３１、４１、５１、６１、７１、８１、９６、１２０、１２７、１２８、１３２  内視鏡用処置具収納装置
７、４２、５２、６２、９９、１２１  芯部
８、１０、２３、２５、３３、３５、１１５、１１６、１２２、１２３、１３０  仕切部
１１、３８  収納部
１２、２２、３２  液垂れ規制手段
１３  弾性変形部
２６  凸部
３６、３７  スポンジ（液吸収部）
４７  Ｏリング（係止部）
６３  係合部
６５  第１の収納部
６７  第２の収納部
７２、９５  内視鏡
７３  鉗子口
７５  内視鏡取付部（取付部）
８２  カート（台座）
８３  カート取付部（取付部）
９０  内視鏡処置システム
９１  挿入部
９２  操作部
９３  チャンネル
９８  挿脱手段
１００  係合孔
【図１】
2005296433.tif 000003
【図２】
2005296433.tif 000004
【図３】
2005296433.tif 000005
【図４】
2005296433.tif 000006
【図５】
2005296433.tif 000007
【図６】
2005296433.tif 000008
【図７】
2005296433.tif 000009
【図８】
2005296433.tif 000010
【図９】
2005296433.tif 000011
【図１０】
2005296433.tif 000012
【図１１】
2005296433.tif 000013
【図１２】
2005296433.tif 000014
【図１３】
2005296433.tif 000015
【図１４】
2005296433.tif 000016
【図１５】
2005296433.tif 000017
【図１６】
2005296433.tif 000018
【図１７】
2005296433.tif 000019
【図１８】
2005296433.tif 000020
【図１９】
2005296433.tif 000021
【図２０】
2005296433.tif 000022
【図２１】
2005296433.tif 000023